(57)【特許請求の範囲】
【請求項１】
エアコン側部、頂部を囲んで、フロントパネル（１）を取り付けるためのパネル体（２）と、エアコン後部を囲むバックハウジングと、前方にあり、パネル体（２）と密接結合しているフロントパネル（１）とを含み、前記バックハウジング、パネル体（２）とフロントパネル（１）により、エアコンのキャビティが形成され、熱交換器、制御素子、通風部材がいずれも前記キャビティ内に配置されるようなエアコン室内機であって、前記エアコン室内機の側面が「Ｕ」形構造になり、エアコン室内機の下部の前面、後部、および底部の表面が一枚以上の曲面によって構成されることを特徴とするエアコン室内機。
【請求項２】
前記フロントパネル（１）は、最頂部から下へ順に、断面線が直線セグメント又は曲率が０に近いアークである第１組合せ面（１１）と、断面線の曲率が上から下へ次第に増大し、最大曲率が０．０２５［１／ｍｍ］以下である曲線である第２組合せ面（１２）と、断面線の曲率が上から下へ次第に減少し、最小曲率が０．０００５［１／ｍｍ］を超える曲線である第３組合せ面（１３）を含んでいることを特徴とする請求項１に記載のエアコン室内機。
【請求項３】
前記バックハウジングは、パネル体（２）の後部に取り付けられ、パネル体（２）の前面下部とフロントパネル（１）の底部とが密接に接合されていることを特徴とする請求項１又は２に記載のエアコン室内機。
【請求項４】
前記パネル体（２）とバックハウジングのコンビネーションには、前端部から後ろへ順に、第４組合せ面（２１）、第５組合せ面（２２）、第６組合せ面２３および第７組合せ面（２４）が含まれることを特徴とする請求項３に記載のエアコン室内機。
【請求項５】
前記バックハウジングがパネル体（２）の後部に取り付けられ、前記パネル体（２）とバックハウジングのコンビネーションには、前端部から後ろへ順に、第４組合せ面（２１）、第５組合せ面（２２）、第６組合せ面（２３）および第７組合せ面（２４）が含まれることを特徴とする請求項１又は２に記載のエアコン室内機。
【請求項６】
前記フロントパネル（１）がパネル体（２）の前方に覆われ、前記フロントパネル（１）の幅寸法がパネル体（２）の前部の幅寸法より大きくなっているため、フロントパネル（１）とパネル体（２）の接合部において少なくとも一方側にフロントパネル裾構造（１０）が形成されていることを特徴とする請求項１又は２に記載のエアコン室内機。
【請求項７】
パネル体（２）は、後部に位置する後部フレーム（２９）と、左右両側の側面パネル（２８）とを含み、後部フレーム（２９）の少なくとも一方側が側面パネル（２８）より突出して、パネル体裾構造（２０）を形成することを特徴とする請求項１又は２に記載のエアコン室内機。
【請求項８】
前記フロントパネル（１）がパネル体（２）の前方に覆われ、前記フロントパネル（１）の幅寸法がパネル体（２）の前部の幅寸法より大きくなっているため、フロントパネル（１）とパネル体（２）の接合部において少なくとも一方側にフロントパネル裾構造（１０）が形成され、パネル体（２）は、後部にある後部フレーム（２９）および左右両側の側面パネル（２８）とを含み、後部フレーム（２９）の少なくとも一方側が側板（２８）より突出してパネル体裾構造（２０）が形成され、フロントパネル裾構造（１０）とパネル体裾構造（２０）とが接合して「Ｕ」形のエアコン室内機の側部装飾縁が形成されていることを特徴とする請求項１又は２に記載のエアコン室内機。
【請求項９】
前記フロントパネル（１）とパネル体（２）の接合部の左右両側の側部にいずれも前記フロントパネル裾構造（１０）が形成され、パネル体（２）の左右両側にいずれも前記パネル体裾構造（２０）が形成され、前記エアコン室内機の左右両側の側部にいずれも前記側部装飾縁を有することを特徴とする請求項８に記載のエアコン室内機。
【請求項１０】
フロントパネル（１）と後部フレーム（２９）の頂部がバックハウジングおよび左右両側の側面パネルの上面よりも高くなっていることを特徴とする請求項９に記載のエアコン室内機。
【請求項１１】
前記フロントパネル裾構造（１０）の幅寸法は、２〜８ミリメートルで、厚さ寸法は３〜１０ミリメートルであることを特徴とする請求項６に記載のエアコン室内機。
【請求項１２】
前記パネル体裾構造（２０）の幅寸法は、２〜８ミリメートルで、厚さ寸法は３〜１０ミリメートルであることを特徴とする請求項７に記載のエアコン室内機。
【請求項１３】
前記フロントパネル裾構造（１０）の幅寸法とパネル体裾構造（２０）の幅寸法は２〜８ミリメートルで、前記フロントパネル裾構造（１０）の厚さ寸法とパネル体裾構造（２０）の厚さ寸法は、３〜１０ミリメートルであることを特徴とする請求項８に記載のエアコン室内機。
【請求項１４】
前記パネル体（２）の前面下部に凸台面（２５）が配置され、フロントパネル（１）の底部が前記凸台面（２５）に配置されて、フロントパネル（１）  が締結機構によりパネル体（２）に固定されていることを特徴とする請求項１、２又は４に記載のエアコン室内機。
【請求項１５】
前記締結機構は、バヨネットとカードスロット接続機構であることを特徴とする請求項１４に記載のエアコン室内機。
【請求項１６】
前記凸台面（２５）の幅寸法がフロントパネル（１）の厚さ寸法と等しいであることを特徴とする請求項１４に記載のエアコン室内機。
【請求項１７】
前記パネル体（２）の背部はバックハウジングを取り付けるための開口部（２９１）を有し、前記開口部（２９１）の下部縁に後凸台（２７）が配置されることを特徴とする請求項１、２又は４に記載のエアコン室内機。
【請求項１８】
前記後凸台（２７）の水平方向の寸法は後部フレーム（２９）の水平方向の寸法より小さいことを特徴とする請求項１７に記載のエアコン室内機。
【請求項１９】
前記後凸台（２７）は横方向に配置され、左右両側に上向きの曲げを有することを特徴とする請求項１７に記載のエアコン室内機。
【請求項２０】
前記パネル体のいずれかの一方側に切り口（２２１）が配置され、前記切り口とフロントパネルの裾構造（１０）との間に空気吸込み通路になっていることを特徴とする請求項６に記載のエアコン室内機。
【請求項２１】
前記第４組合せ面（２１）、第５組合せ面（２２）、第６組合せ面（２３）、および第７組合せ面（２４）の断面線はそれぞれ異なっている曲率を有していることにより、エアコンの底部を円弧状のトランジション構造にしていることを特徴とする請求項４に記載のエアコン室内機。
【請求項２２】
前記第４組合せ面（２１）、第５組合せ面（２２）、第６組合せ面（２３）、および第７組合せ面（２４）の断面線はそれぞれ異なっている曲率を有していることにより、エアコンの底部を円弧状のトランジション構造にしていることを特徴とする請求項５に記載のエアコン室内機。
【発明の詳細な説明】
【技術分野】
【０００１】
本発明は、エアコン室内機構造に関し、具体的には、個性化の効果が優れているエアコン室内機に関する。
【背景技術】
【０００２】
通常、エアコンは空気冷却器、加熱器又は空気清浄器により、部屋を涼しく、又は暖かくし、空気を浄化させ、内部環境をより快適にする装置である。このようなエアコンにおいて、通風装置、空気冷却装置、加熱装置、および空気清浄器が設けられ、前記通風装置は、空気を室内にて強制的に循環させ、室内の空気を吸い込み、熱交換又は空気浄化を行った後に、空気を室内に排出するものである。既存技術において、エアコンは絶えず改良されている。通常、エアコン室内機は、エアコンの側部と後部を囲んでいるバックハウジング、および前方に位置し、バックハウジングと密着結合されているパネル体を備え、前記バックハウジングとパネル体によりエアコンのキャビティが形成され、熱交換器、制御素子、通風部材がいずれも前記キャビティ内に配置されている。前記パネル体が、通常、ネジ又は係合方式によりバックハウジングに固定されている。エアコン市場が日増しに成熟し、消費者のエアコンに対する要求もより高くなっていることにつれて、メーカ側はエアコンパネルに対していろいろ工夫していた。その結果、カラープレートを有するパネル、装飾画を有するパネルおよび２層構造を有するパネルなどが出回っている。当該構造の室内機は、エアコンの全体の輪郭および構造が変化していないため、エアコン室内機の下部が角を有する長方形又は多面体構造であるので、エアコンの美観性において、顕著な効果がないという欠陥が存在している。
【発明の概要】
【発明が解決しようとする課題】
【０００３】
本発明は、構造が簡単で、室内の全体環境と調和し、外観の装飾スタイルが改良されたエアコン室内機を提供することを目的とする。
【課題を解決するための手段】
【０００４】
上記目的を達成するために、本発明は以下の技術案を採用している。
【０００５】
エアコン側部、頂部を囲んで、フロントパネルを取り付けるためのパネル体と、エアコン後部を囲むバックハウジングと、前方にあり、パネル体と密接結合しているフロントパネルとを含み、前記バックハウジング、パネル体とフロントパネルにより、エアコンのキャビティが形成され、熱交換器、制御素子、通風部材がいずれも前記キャビティ内に配置されるようなエアコン室内機であって、前記エアコン室内機の側面が「Ｕ」形構造になり、エアコン室内機の下部の前面、後部、および底部の表面が一枚以上の曲面によって構成されている。
【発明の効果】
【０００６】
上述のように、本発明の有益的な効果は以下の通りである。
【０００７】
本発明に係わるエアコン室内機は、その側面が「Ｕ」形構造になり、その下部の前面、後部表面が一枚以上の曲面によって構成されるため、エアコン室内機の全体の外観輪郭に独特した視覚的効果を持たせ、個性化の特徴が優れているエアコンの新機種となり、エアコンの美観性の向上において、顕著な効果がある。
【図面の簡単な説明】
【０００８】
【図１】本発明に係わるエアコン室内機の側面の構造を示す図である。
【図２】本発明に係わるエアコン室内機の立体構造を示す図である。
【図３】本発明に係わるエアコン室内機の裾構造を示す図である。
【図４】本発明に係わるエアコン室内機のパネル体の構造を示す図である。
【図５】本発明に係わるエアコン室内機のフロントパネルの取り付け構造を示す図である。
【図６】本発明に係わるエアコン室内機の後凸台の構造を示す図である。
【図７】本発明に係わるエアコン室内機の半分が切られた後の構造を示す図である。
【図８】図７に示したエアコン室内機のフロントパネルが取り除かれた後の構造を示す図である。
【発明を実施するための形態】
【０００９】
本発明はエアコン室内機を開示し、図１、２に示すように、エアコン側部、頂部を囲んで、フロントパネル１を取り付けるためのパネル体２と、エアコンの後部を囲むバックハウジングと、前方にあり、パネル体２と密接結合しているフロントパネル１とを含み、前記バックハウジング、パネル体２とフロントパネル１により、エアコンのキャビティが形成され、熱交換器、制御素子、通風部材がいずれも前記キャビティ内に配置されるようなエアコン室内機であって、その中、前記エアコン室内機の側面が「Ｕ」形構造になり、エアコン室内機の下部の前面、後部、および底部の表面が一枚以上の曲げ面によって構成されている。
【００１０】
前記フロントパネル１は、最頂部から下へ順に、断面線が直線セグメント又は曲率が０に近いアークである第１組合せ面１１と、断面線の曲率が上から下へ次第に増大し、最大曲率が０．０２５以下である曲線である第２組合せ面１２と、断面線の曲率が上から下へ次第に減少し、最小曲率が０．０００５を超える曲線である第３組合せ面１３を含んでいる。
【００１１】
前記バックハウジングがパネル体２の後部に取り付けられ、パネル体２の前方下部がフロントパネル１の底部と密接接合されている。前記パネル体２とバックハウジングのコンビネーションには、前端部から後ろへ順に、第４組合せ面２１、第５組合せ面１２、第６組合せ面２３および第７組合せ面２４が含まれる。
【００１２】
前記第４組合せ面２１、第５組合せ面２２、第６組合せ面２３、および第７組合せ面２４の断面線はそれぞれ異なっている曲率を有しているので、エアコンの底部が円弧状のトランジション構造となっている。
【００１３】
図３に示すように、フロントパネル１がパネル体２の前方に覆われ、前記フロントパネル１の幅寸法がパネル体２の前部の幅寸法よりも大きくなっているため、フロントパネル１とパネル体２の接合部において少なくとも一方側にフロントパネル裾構造１０が形成されている。図３、６に示すように、パネル体２は、後部にある後部フレーム２９および左右両側の２つの側部パネル２８とを含み、後部フレーム２９の少なくとも一方側が側板２８より突出することにより、パネル体裾構造２０が形成され、フロントパネル裾構造１０とパネル体裾構造２０とが接合して、「Ｕ」形のエアコン室内機の側部装飾縁が形成されている。
【００１４】
フロントパネル１とパネル体２の接合部の左右両側の２つの側部にいずれも前記フロントパネルの裾構造１０が形成され、パネル体２の左右両側にいずれも前記パネル体裾構造２０が形成され、室内機の左右両側の２つの側部にいずれも装飾縁を有することが好ましい。
【００１５】
フロントパネル1と後部フレーム２９の頂部がバックハウジングの上面よりも高くなっている。
【００１６】
前記フロントパネル裾構造１０の幅寸法とパネル体裾構造２０の幅寸法L２は２〜８ミリで、好ましくは４ミリであり、前記フロントパネル裾構造１０の厚さ寸法H１とパネル体裾構造２０の厚さ寸法H２が３〜１０ミリで、好ましくは８ミリである。
【００１７】
図４、５に示すように、パネル体２の前面下部に凸台面２５が配置され、フロントパネル１の底部が前記凸台面２５に置かれて、フロントパネル１が締結機構によりパネル体に固定されている。
【００１８】
前記締結機構はバヨネットおよびカードスロット接続機構である。
【００１９】
前記凸台面２５の幅寸法とフロントパネル１の厚さ寸法と等しいであることが好ましい。
【００２０】
図６に示すように、パネル体２の背部にバックハウジングを取り付けるための開口部２９１を有し、前記開口部２９１の下縁に、後凸台２７が配置されている。エアコンが取り付けられてから、前記後凸台２７が壁に突っ張って、バックハウジングと壁との間に排水ホースと冷媒配管を配置する空間を空けておく。
【００２１】
前記後凸台２７が横方向に配置され、左右両側にそれぞれ上向きの曲げを有する。前記後凸台２７の水平方向の寸法が後部フレーム２９の水平方向の寸法より小さくなっている。
【００２２】
図７、８に示すように、前記パネル体のいずれかの一方側に切り口２２１が配置され、前記切り口とフロントパネルの裾構造１０との間に空気吸込み通路が形成されているため、エアコンの風量を増加し、製品の性能を高めることができる。最良の技術案は、左右両側にいずれも切り口２２１が配置されることにより、頂部の空気吸込み通路が主な通路であり、左右両側が補助的な通路であるような三つの面から空気を吸込む構造が形成され、風量が高められ、製品の性能が向上されるようになる。
【００２３】
前記発明の実施形態は、発明を限定するものではない。例えば、フロントパネル１とパネル体２の組合せ面の半径、曲率変化および組合せ面の数量の変化など、本発明の精神や原則を逸脱しないいずれの変更、置換、改良なども本発明の保護範囲内に含まれることは、当業者には容易に理解できる。
【符号の説明】
【００２４】
１・・・フロントパネル、２・・・パネル体、１０・・・フロントパネル裾構造、２０・・・パネル体裾構造、１１・・・第１組合せ面、１２・・・第２組合せ面、１３・・・第３組合せ面、２１・・・第４組合せ面、２２・・・第５組合せ面、２３・・・第６組合せ面、２４・・・第７組合せ面、２５・・・凸台面、２６・・・リブ、２７・・・後凸台、２８・・・側面パネル、２９・・・後部フレーム、２９１・・・開口部、２２１・・・切り口 
【図１】
0005639257.tif 000002
【図２】
0005639257.tif 000003
【図３】
0005639257.tif 000004
【図４】
0005639257.tif 000005
【図５】
0005639257.tif 000006
【図６】
0005639257.tif 000007
【図７】
0005639257.tif 000008
【図８】
0005639257.tif 000009